(57)【要約】【課題】本発明は複数の伝送装置で構成するネットワークシステムにおける設定制御の予約管理方法及び装置に関し，予約情報を無効にするような緊急作業に対しても予約情報を無駄にすることなく再び予約を実施することができることを目的とする。【解決手段】予約情報を格納した予約時刻になると予約内容を運用データベースに設定されて伝送装置の状態が変更されるネットワークシステムであって，緊急作業の実施に対応した伝送装置の状態を運用データベースに設定し，予約情報データベースの中の予約表示された予約情報を退避データベースに格納し，運用データベースの内容を予約情報データベースに複写することで初期化し，退避データベースの各予約情報を予約日に基づいて順に並び換え，並び換えた予約情報を順に新たな予約情報として予約情報データベースに格納された状態に対して予約が可能か判別して，可能な場合だけ再予約するよう構成する。【選択図】図１
2006101070.tif 000002
【特許請求の範囲】
【請求項１】
ネットワークを構成する複数の伝送装置の各設定個所毎に予約時刻と設定内容を含む予約情報を格納した予約情報データベースと該予約情報データベースに設定された予約時刻になると予約内容を運用データベースに設定されて伝送装置の状態が変更されるネットワークシステムにおける設定制御の予約管理方法において，
緊急作業の実施に対応した伝送装置の状態を前記運用データベースに設定し，前記予約情報データベースの中の予約表示された予約情報を退避データベースに格納し，
前記運用データベースの内容を前記予約情報データベースに複写することで初期化し，
前記退避データベースの各予約情報を予約日に基づいて順に並び換え，
前記並び換えた予約情報を順に新たな予約情報として前記予約情報データベースに格納された状態に対して予約が可能か判別して，可能な場合だけ当該予約情報を再予約することを特徴とするネットワークシステムにおける設定制御の予約管理方法。
【請求項２】
請求項１において，
前記予約情報データベースの各予約情報に対して重要度を表す情報を設け，
前記退避データベースの各予約情報を並び換える際に予約情報に設けた重要度を表す情報に基づいて行うことを特徴とするネットワークシステムにおける設定制御の予約管理方法。
【請求項３】
請求項１において，
前記予約情報データベースに格納された予約情報の設定個所として伝送装置の各パス・回線を指定し，予約の内容としてパス・回線を開通または廃止の何れかを表示し，
前記並び換えた予約情報を順に予約が可能か否かを判別する際，前記予約情報データベースに格納したパス・回線の状態に対し予約内容が実行可能か否かを判別することを特徴とするネットワークシステムにおける設定制御の予約管理方法。
【請求項４】
請求項１乃至３の何れかにおいて，
前記再予約が可能かの判別において，再予約が行えない場合は当該予約情報を設定不可である旨のメッセージを表示することを特徴とするネットワークシステムにおける設定制御の予約管理方法。
【請求項５】
ネットワークを構成する複数の伝送装置の状態を設定するための運用データベースと，前記伝送装置の状態を予約するための各設定個所毎に予約時刻を含む予約情報を格納した予約情報データベースと，予約情報データベースに設定された予約時刻になると予約情報データベースの内容を運用データベースに設定する手段とを備えたネットワークシステムにおける設定制御の予約管理装置において，
前記予約情報データベースの各予約情報に対して重要度を表す情報を備え，
緊急作業の実施に対応した伝送装置の状態を前記運用データベースに設定する緊急設定部と，
前記予約情報データベースの中の予約状態の情報を退避データベースに格納する予約情報退避手段と，前記運用データベースの内容を前記予約情報データベースに複写する予約情報データベース初期化手段と，前記退避データベースの各予約情報を前記重要度と予定日順に並び換え，順番に前記予約情報データベースに再予約可能か判別して可能な場合に再予約する並び換え再予約手段とを備えた緊急作業処理部と，
を備えることを特徴とするネットワークシステムにおける設定制御の予約管理装置。
【発明の詳細な説明】
【技術分野】
【０００１】
本発明はネットワークシステムにおける設定制御の予約管理方法及び装置に関する。
【０００２】
ネットワークを構成する伝送装置の動作を変更するためには，それぞれの装置を人手で直接操作する必要があった。しかし，その後になって装置を効率よく監視・制御する目的でオペレーションシステムが登場し，設定状態を変更したい装置の設置場所まで行かなくても遠隔からの画面操作のみで機器の動作を変更できるようになり，更に，最近は各種の回線サービスが実施されるようになり，それに伴い装置の動作の設定変更も頻度も依然とは比べものにならないくらい高くなってきている。そして，システム内で整合をとりながら，効率よく装置の設定状態を変更できるようなシステムが要求されている。
【背景技術】
【０００３】
図１１はネットワーク構成とパス・回線の関係を示し，Ａ．はネットワーク構成，Ｂ．はパスの構成を示す。Ａ．に示すネットワークの例では，各地域に設けられた多数の伝送装置８０と各伝送装置８０を接続するパス・回線とで構成され，８０は多数のパス・回線を収容すると共にスイッチ（クロスコネクト）機能含む伝送装置，８１は加入者（端末）を表し，加入者ＴはＴ局（東京）の伝送装置８０に接続され，加入者ＯはＯ局（大阪）の伝送装置に接続されている。このようなネットワーク構成において，加入者Ｔから加入者Ｏまでの通信経路を構成するには，まず，加入者Ｔ，加入者Ｏからの回線はそれぞれＴ局とＯ局の伝送装置８０に取り込まれる。図１１のＢ．に示すように，Ｔ局とＯ局の伝送装置８０の間はパス８２という単位で，順番に各伝送装置を経て接続される。パスは回線（チャネル）が集約されて構成される。加入者Ｔと加入者Ｏの間の接続は，回線をパスに収容し，各伝送装置８０内でパスとパスをクロスコネクトやスイッチ等の切替手段８３により接続することにより確立される。
【０００４】
図１２はネットワークにパス・回線を収容する設定の説明図である。図中，８０はネットワークシステムの複数の局に設けられた伝送装置であり，図の例ではＡ局，Ｂ局，Ｃ局の伝送装置だけ示す。８０ａ，８０ｂは各伝送装置８０内の２つのパスの収容位置だけを示し，８０ｃはパス間の接続を表す。このようなネットワークにパス・回線を設定する概略の手順を示すと次のａ．〜ｃ．のようになる。
【０００５】
ａ．回線（チャネルともいう）をパスに収容するには，まず加入者（ユーザ）のサービス品目を収容局の伝送装置に対して設定する。この場合，ユーザのサービス品目としては，利用する伝送方式としてＡＴＭ（Asynchronous Transfer Mode: 非同期伝送モード) ，ＳＴＭ（Synchronous Transfer Mode:同期伝送モード），ＦＲ（Frame Relay)等の種別，多重方式としてＷＤＭ（Wavelengteh Division Multiplexing:波長分割多重）や，ＴＤＭ（Time Division Multiplexing: 時分割多重）等の種別を選択し，使用する帯域や，要求性能として信号の揺らぎや遅延時間を設定する等の各種品目がある。
【０００６】
ｂ．次に収容局の伝送装置に接続されているパスのうち，その回線をどのパスに取り込むかを設定する。対向する局の伝送装置においても同様の設定を行い，中継の役割を担う対向局間にある局の伝送装置に対しては，他局から接続されているパスを局内の伝送装置で接続させ，目的とするネットワークを確立する。これにより，２つの加入者Ｔ，加入者Ｏの回線や各伝送装置間の回線を収容するパス（８０ａや８０ｂ）の設定を行う。
【０００７】
ｃ．各伝送装置８０内で各パスの間（８０ａや８０ｂ）の切替手段８３の設定を図示省略されたクロスコネクトやスイッチにより行う。
【０００８】
図１３は各伝送装置への設定制御を行うシステムを示す。この例では，ネットワークがＴ局からＯ局までの伝送装置８０により構成され，各局は複数の伝送装置で構成されているものとする。Ｔ局は伝送装置８０−１〜８０−ｎで構成され，Ｏ局は伝送装置８０−１〜８０−ｎで構成されている。各伝送装置内の８００は，それぞれの伝送装置の設定状態を格納する伝送装置データベース（ＮＥ(Network Element) −ＤＢ）であり，８４は設定制御システム，８４０は設定指示部，８４１は運用データベース（ＤＢで表示），８４２は設定制御部である。ネットワークを構成する各伝送装置に対して上記図１２に示す設定を行う場合，設定指示部８４０から設定指示を入力すると，運用データベース８４１に設定情報が格納される。運用データベース８４１に格納された情報は設定制御部８４２により取り出され，各伝送装置８０の伝送装置データベース（ＮＥ−ＤＢ）８００に設定される。各伝送装置８０ではそれぞれの伝送装置データベース（ＮＥ−ＤＢ）８００の設定内容に従ってパス・回線が設定されて，ネットワークの確立が行われる。なお，パス・回線に対する設定として，パス・回線を開設する「開通」と呼ぶものと，開通したパス・回線を解放する「廃止」（開通させたネットワークを初期状態に戻すこと）と呼ばれるものがある。
【０００９】
図１４は伝送装置データベース（ＮＥ−ＤＢ）の説明図である。図中，８０−１，８０−２は上記図１２の一つの局の中の伝送装置（ＮＥ１，ＮＥ２で表す）である。８２ａ〜８２ｆは伝送装置ＮＥ１のパス，８００は伝送装置データベース（ＮＥ−ＤＢで表す）である。各伝送装置データベース（ＮＥ−ＤＢ）８００には，それぞれの伝送装置に関する接続情報のみを格納しており，ＮＥ１の伝送装置データベース（ＮＥ−ＤＢ）８００には，次のような情報が格納されている。すなわち，パス８２ａと８２ｅは開通不可（取り外して空き状態），パス８２ｂは開通可，パス８２ｃ，８２ｄ及び８２ｆは開通済，パス８２ｃと８２ｄが伝送装置ＮＥ１内で接続，という情報である。ここで，「開通不可」は他の伝送装置ＮＥへの物理的な接続が不可能（回線が取り外されている状態等）な状態，「開通済」は現在既に開通されている状態，「開通可」は他伝送装置ＮＥとは物理的に接続されているが未開通な状態で，開通指示待ちの状態を意味する。
【００１０】
このようにして，ネットワークの伝送装置に対する設定が行われるが，大量の設定作業を実施しなければならない場合には，図１３の運用データベース（ＤＢ）８４１への設定後，すぐにネットワークに反映してしまう機構のため，設定したい時刻の直前に設定指示のための大量の作業が集中してしまうという問題があった。
【００１１】
この問題を解消するために予約という方式が用いられるようになり，図１５に従来例の技術として示す。図１５において，８０’は局を表し，図の例では局１と局２だけ示し，局は複数の伝送装置８０により構成される。８４１は上記図１３の同一符号と同じ運用データベース（ＤＢで表示），８５は予約指示入力部，８６は予約処理部，８７は予約情報データベース（ＤＢで表示），８８は時刻判定処理部である。
【００１２】
最初に予約情報データベース８７を初期化する時，運用データベース８４１が参照されて，各項目の情報が予約情報データベース８７に設定（複写）される。予約したい設定情報は，設定を実行したい日時より前に予約指示入力部８５から入力される。設定情報は，設定個所，予約時刻（設定を実行したい時刻），設定内容（開通，廃止）等により構成される。この設定情報は予約処理部８６により運用データベース８４１を参照して，予約が可能な場合は予約情報データベース８７に設定される。この後，時刻判定処理部８８は予約情報データベース８７に設定された予約時刻になったことを検出すると，対応する予約情報データベース８７の設定情報を運用データベース８４１へ設定する。運用データベース８４１に設定された情報は，そのまま対応する伝送装置８０に反映（設定）されて予約情報に従った状態に設定される。なお，各伝送装置８０における運用中の状態変化が発生すると，その伝送装置８０から運用データベース８４１の中の該当する状態情報を更新する動作が行われる。
【００１３】
このような予約技術を用いて伝送装置を介して端末間でＰＶＣ（永続的仮想チャネル：Permanent Virtual Channel)を予約時間に設定させる技術が存在する（特許文献１参照）。
【００１４】
上記した従来の予約方式による伝送装置の設定を行う場合，パス・回線を構成する伝送装置群の一部の機構または回線に障害等で支障が生じると，予約を実行する前にその部分を迂回するパス・回線を緊急に構成して支障回線を通る通信を救済しなければならない。この場合，迂回した部分は支障部分の復旧が確認された後も，安定して正常に動作するという保証がなく，再度障害となって一時的に停止する事態を回避するため，支障前の構成に復旧させることなく運用される。
【００１５】
このように従来の技術によれば，予約を無視して緊急に作業を行う必要が生じた場合には，緊急作業を行うことにより運用状況が変化して，予約情報データベース８７にその状況を取り込む手段がないため，予約時刻になっても設定できない情報が発生するという問題が起きる。例えば，予約により回線を開通させようとしても，予約時間の前にその回線が障害になって緊急作業により切断されて他の迂回回線に切替えられた場合，予約時間になっても対象とする回線が切断されていて設定できなくなる。
【特許文献１】特開平１０−３３６１９４号公報
【発明の開示】
【発明が解決しようとする課題】
【００１６】
上記したようにネットワークを構成する伝送装置の状態を予約により設定しようとしても，緊急作業等により予約の中に１つでも実行できないでエラーが生じた場合には，予約された全設定作業を決められた時刻に行うことができなくなり，予約情報が無効になるという問題がある。
【００１７】
また，連続して大量の設定作業が集中する場合，予約処理の動作を継続させると，エラーの発生も立て続けに生じることがあるため，緊急的なパス・回線の開通計画自体の変更を余儀なくされる事態が発生していた。
【００１８】
本発明はネットワークを構成する複数の伝送装置の状態を予約した時刻に変更する設定制御を行うシステムにおいて，予約情報が無効となるような緊急作業に対しても，それまでに格納された予約情報を無駄にすることなく再び予約を実施することができるネットワークシステムにおける設定制御の予約管理方法及び装置を提供することを目的とする。
【課題を解決するための手段】
【００１９】
図１は本発明の原理構成を示す図である。図中，１０は緊急作業処理部，１０ａは予約情報退避手段，１０ｂは予約情報データベース初期化手段，１０ｃは並び換え再予約手段，１１は退避データベース（ＤＢで表示），１２は入出力部，１３は予約処理部，１４は予約情報データベース（ＤＢ），１５は時刻管理リスト，１６は時刻判定処理部，１７は運用データベース（ＤＢ），１８は緊急設定部，１９は伝送装置（ＮＥ）で構成する局，１９０は各局１９内に設けられた１または複数の伝送装置（ＮＥ）である。
【００２０】
運用データベース１７には伝送装置の各設定個所の情報（現在の設定内容）が格納されており，予約情報データベース１４を初期化すると運用データベース１７の各設定個所の情報に運用状態を表すフラグを付加してその他の各情報が複写される。その後，各局１９内の各伝送装置１９０の設定状態の予約を行う場合，入出力部１２から予約したい各種の情報を含む予約指示を入力すると，予約処理部１３は予約情報データベース１４を参照しながら指示された予約情報を設定個所別に予約情報データベース１４に設定する。予約情報には，予約番号，予約フラグ，予約日，設定個所，パス・回線の開通設定，廃止設定の種別や，各設定の時刻（予約時刻）等の各種の情報と，新たに付加される重要度（作業の優先順位の判定基準となる数値）の情報が含まれる。続いて，予約処理部１３は予約情報データベース１４の予約番号に対応した開通または廃止の種別や，それぞれの設定時刻（実際に開設または廃止を実施したい年月日時）を抽出して時刻管理リスト１５を作成する。この後，時刻判定処理部１６は，時刻管理リスト１５の設定時刻と現在時刻とを照合し，現在時刻が予約時刻と一致すると予約情報データベース１４の対応する予約情報に従って運用データベース１７の設定を変更して，予約情報に従って伝送装置の各個所の状態が設定されて，ネットワークが運用される。
【００２１】
伝送装置による設定動作により運用している時に，伝送装置のパス・回線について障害の発生等により緊急作業をする場合，入出力部１２からの緊急指示により時刻判定処理部１６に対して時刻管理リスト１５を用いた予約設定（反映）の処理を停止させる。続いて緊急作業（例えば，迂回パスの設定等）に基づいてパス・回線に対する設定情報を緊急設定部１８から各伝送装置１９０に設定すると，各設定情報は対応する各伝送装置１９０の図示省略されたデータベース（図１２に示す各ＮＥ−ＤＢ８００に対応）に設定され，各伝送装置１９０の運用状態のデータベースの内容は緊急作業を反映した状態になる。
【００２２】
この後，各伝送装置１９０の運用状態を表すデータベース情報（ＮＥ−ＤＢ）の内容により運用データベース１７の設定情報の更新が行われ，運用データベース１７は緊急作業を反映した情報となる。一方，緊急指示により緊急作業処理部１０が駆動され，最初に予約情報退避手段１０ａにより，予約情報データベース１４の中の予約フラグが設定された予約情報を退避データベース１１へ移し，続いて予約情報データベース初期化手段１０ｂの動作により予約情報データベース１４を初期化する（運用データベース１７の内容を複写）。次に，並び換え再予約手段１０ｃにより，退避データベース１１に退避した予約情報を重要度と予約日を基準にして並び換える。この場合，予約日だけを基準にしてもよい。
【００２３】
続いて，並び換えられた各予約情報を順番に予約処理部１３に対して再予約を実行させる。予約処理部１３は，予約情報データベース１４に設定された現在の伝送装置の状態（運用データベース１７に設定された緊急作業の結果を反映）に対して，予約情報（退避情報）の予約が可能か判定し，可能な場合は予約情報データベース１４に新たな予約情報として再予約し，予約が不可（緊急作業により状態が変更したことによる）と判定されると，その予約情報は再予約せず予約情報データベース１４に設定しない。この時，予約不可として入出力部１２に表示することができる。この結果，予約情報データベース１４には緊急作業により変化した伝送装置の状態に対して実行可能な内容となり，この予約情報により従来と同様に予約設定を実行することができる。
【００２４】
図１では予約情報データベース１４と退避データベース１１は物理的に別のものとして示したが，両データベースを物理的に一つのデータベースとものとして構成し，論理的に区別して使用するようにしても良い。また，図１では複数の緊急作業処理部１０，予約処理部１３，時刻判定処理部１６という各機能を行う複数の処理部を備えるが，一つの処理装置により各機能を実行するよう構成することができる。
【発明の効果】
【００２５】
本発明によれば，設定作業に対して予約情報の退避用のデータベースを設けて，事前に計画された予約登録されたパス・回線に影響を与えるような緊急作業に対して，それまでに予約しておいた予約情報を流用して，緊急作業後に自動的に予約を行うことができるため，設定作業の効率化に寄与することができる。
【発明を実施するための最良の形態】
【００２６】
本発明によるネットワークを構成する伝送装置の設定制御の予約管理は上記図１に示す構成により実現されるが，各データベースの構成及び処理動作について以下に説明する。
【００２７】
図２は運用データベースの構成を示す。Ａ．には運用データベース（図１の１７）の全体の構成を示し，複数の各設定個所１７０の情報（状態）が含まれており，この例では，設定個所Ａ，……設定個所Ｎとから成る。Ｂ．は設定個所を表すデータの例であり，この例ではネットワーク名（該当装置が所属しているネットワークの名称），局名（当該装置が所属している局の名称），装置情報（システム内で装置をユニークに特定するための番号や装置の名称，または装置に付与されたＩＤ情報），装置種別（装置の種類毎に規定される種別），個所情報（装置内部の部位を示す情報）などの項目のデータにより構成される。
【００２８】
図３は予約情報データベースの初期化時の構成を示す。予約情報データベース（図１の１４）には，初期化時に運用データベース（図２参照）の内容を複写することで格納された各設定個所１４４の情報と，各設定個所毎に対応して付加された運用フラグ１４２とで構成される。運用フラグは対応する設定個所のパスまたは回線が開通している場合は「○」（または“１”）が設定され，廃止されている場合は「−」（または“０”）が設定される。
【００２９】
図４乃至図７は予約が設定された時の予約情報データベースの構成を示す。上記図１において，入出力部１２からの予約指示をすることで，予約処理部１３の処理により予約情報データベース１４に指示された予約情報を設定することにより，各データベースの内容が得られる。図４乃至図７に示す予約情報が設定された予約情報データベース１４には１４０〜１４９の符号で示す各種の情報からなり，１４０は予約番号，１４１は予約日（予約をした日），１４２は運用フラグ（現在開通状態の時「○」，廃止状態の時「−」），１４３は予約フラグ（予約をした設定個所は「○」，予約をしてない設定個所は「−」），１４４は設定個所，１４５は開通フラグ（予約により廃止状態を開通状態にしたい設定個所は「○」，それ以外は「−」），１４６は開通設定時刻（予約により廃止状態の設定個所を開通状態にしたい時刻），１４７は廃止フラグ（予約により開通状態を廃止状態にしたい設定個所は「○」，それ以外は「−」），１４８は廃止設定時刻（予約により開通状態の設定個所を廃止状態にしたい時刻），１４９は重要度ランク（伝送装置の運用上の重要度）の各情報により構成される。
【００３０】
図４，図５は運用中の設定個所に対して予約が設定された予約情報データベースの内容で，図４は運用中の設定個所に廃止の予約が設定された場合の内容であり，設定個所ＧとＮに対して，予約フラグ１４３が「○」に設定され，廃止フラグ１４７が「○」に設定され，廃止設定時刻１４８が設定されている。また，図５は運用中の設定個所に開通の予約が設定された場合の内容であるが，その前の時刻に廃止の予約が設定されている例である。すなわち，設定個所Ｎに対して，予約フラグ１４３が「○」，開通フラグ１４５及び廃止フラグ１４７が「○」に設定されているが，この設定個所Ｎにおける開通設定時刻１４６（年月日と時刻を表すＸＸ／ＸＸ／ＸＸ  ＸＸ：ＸＸ）＞廃止設定時刻１４８（ＸＸ／ＸＸ／ＸＸ  ＹＹ：ＹＹ）の関係を持ち，予約により最初は廃止の設定をして，その後に開通の設定をする例である。
【００３１】
図６，図７は非運用中の設定個所に対し予約が設定された予約情報データベースの内容で，図６は非運用中の設定個所に開通の予約が設定された場合の内容であり，設定個所ＸとＺに対して，予約フラグ１４３が「○」に設定され，開通フラグ１４５が「○」に設定され，開通設定時刻１４６も設定されている。また，図７は非運用中の設定個所に廃止の予約が設定された場合の内容であるが，その前の時刻に運用の予約が設定されている例である。すなわち，設定個所Ｚに対して，予約フラグ１４３が「○」，開通フラグ１４５及び廃止フラグ１４７が「○」に設定されているが，この設定個所Ｚにおける廃止設定時刻１４８（年月日と時刻を表すＸＸ／ＸＸ／ＸＸ  ＹＹ：ＸＸ）＞開通設定時刻１４６（ＸＸ／ＸＸ／ＸＸ  ＸＸ：ＹＹ）の関係を持ち，予約により最初は廃止の設定をして，その後の時刻で開通の設定をする例である。
【００３２】
図８は緊急作業発生時の処理フローである。このフローチャートは，図１の構成において緊急作業処理部１０，予約処理部１３等の機能を実行する情報処理装置（図示省略されたＣＰＵ，メモリで構成）のプログラムにより実行される。
【００３３】
緊急作業が発生すると，予約動作（予約反映処理）を停止し（図８のＳ１），緊急作業を実施した後の状態に基づいて運用データベース（図１の１７）を更新する（同Ｓ２）。次に予約情報データベース（図１の１４）内で予約フラグが立っている予約情報を退避データベース（図１の１１）へ移行する（同Ｓ３）。
【００３４】
図９に予約情報データベースが移行された退避データベースの例を示す。この図９に示す退避データベースは，予約情報データベースの内容が上記図５及び図７に示す内容の場合であり，予約フラグが「○」になった予約情報がそのまま格納される。
【００３５】
予約情報データベースの内容を退避データベースに移行したら，上記ステップＳ２で緊急作業に基づいて更新された運用データベースの内容を予約情報データベースに複写することで初期化する（図８のＳ４）。続いて退避データベース内の予約情報を重要度ランク・予約日の情報をキーにして重み付けてソート（並び換えを）する（図８のＳ５）。この場合，緊急作業の実施日（現在の日時）より後に予約設定日があるものを予約日順にソートし，その他のものを重要度・予約日順に並び換えるようにしてもよい。
【００３６】
次に退避データベース内の予約情報に対して附された予約番号を，並べ換えた順番の予約番号に付け直し（図８のＳ６），退避データベース内の全予約情報数＝ＹMAX に設定する（同Ｓ７）。次に予約番号の変数Ｙ＝０にし（図８のＳ８），Ｙ＝ＹMAX であるか判別し（同Ｓ９），予約番号がＹMAX であると，緊急作業を完了し，全予約情報数（ＹMAX)に達していない場合は，ＹをＹ＋１とし（同Ｓ１０），運用データベースを参照しながら予約情報Ｙについて再予約を行う（同Ｓ１１）。この場合，予約情報データベースの状態（更新された運用データベースの状態と同じ）に対して予約情報Ｙの再予約が行えたか判別する（図８のＳ１２）。例えば，廃止設定の予約を行おうとしても，対象となるパスが緊急作業により既に廃止されている場合は再予約を行うことができなかったと判定される。
【００３７】
ステップＳ１２において，再予約が行えたと判別されると，時刻管理リスト（図１の１５）を再予約情報で更新する（図８のＳ１３）。図１０に時刻管理リストの構成を示す。再予約が行えない場合は，対象とする予約情報は設定不可である旨のメッセージ表示を行い（図８のＳ１４），続いて対象とする予約について退避データベースを更新するか退避データベースから削除するかの指示を入力し（同Ｓ１５），削除した場合ステップＳ９に戻り，更新した場合は退避データベースを更新し（同Ｓ１６），ステップＳ１２に戻る。
【００３８】
上記図８に示す緊急作業発生時の処理フローによる再予約の予約情報データベース（図１の１４）が作成されると，更新された時刻管理リスト（図１０参照）を用いた時刻判定による設定処理が行われる。なお，図１０に示す時刻管理リストは，予約情報データベースが上記図５と図７に示す内容である場合に対応する。
【図面の簡単な説明】
【００３９】
【図１】本発明の原理構成を示す図である。
【図２】運用データベースの構成を示す図である。
【図３】予約情報データベースの初期化時の構成を示す図である。
【図４】運用中の設定個所に対して予約が設定された予約情報データベースの内容（その１）を示す図である。
【図５】運用中の設定個所に対して予約が設定された予約情報データベースの内容（その２）を示す図である。
【図６】非運用中の設定個所に対して予約が設定された予約情報データベースの内容（その１）を示す図である。
【図７】非運用中の設定個所に対して予約が設定された予約情報データベースの内容（その２）を示す図である。
【図８】緊急作業発生時の処理フローを示す図である。
【図９】予約情報データベースが移行された退避データベースの例を示す図である。
【図１０】時刻管理リストの内容を示す図である。
【図１１】ネットワーク構成とパス・回線の関係を示す図である。
【図１２】ネットワークにパス・回線を収容する設定の説明図である。
【図１３】各伝送装置への設定制御を行うシステムを示す図である。
【図１４】伝送装置データベースの説明図である。
【図１５】従来例の技術を示す図である。
【符号の説明】
【００４０】
１０        緊急作業処理部
１０ａ      予約情報退避手段
１０ｂ      予約情報データベース初期化手段
１０ｃ      並び換え再予約手段
１１        退避データベース（ＤＢ）
１２        入出力部
１３        予約処理部
１４        予約情報データベース（ＤＢ）
１５        時刻管理リスト
１６        時刻判定処理部
１７        運用データベース（ＤＢ）
１８        緊急設定部
１９        局
１９０      伝送装置（ＮＥ）
【図１】
2006101070.tif 000003
【図２】
2006101070.tif 000004
【図３】
2006101070.tif 000005
【図４】
2006101070.tif 000006
【図５】
2006101070.tif 000007
【図６】
2006101070.tif 000008
【図７】
2006101070.tif 000009
【図８】
2006101070.tif 000010
【図９】
2006101070.tif 000011
【図１０】
2006101070.tif 000012
【図１１】
2006101070.tif 000013
【図１２】
2006101070.tif 000014
【図１３】
2006101070.tif 000015
【図１４】
2006101070.tif 000016
【図１５】
2006101070.tif 000017